(57)【要約】【課題】車両の床下に配設された浄化装置に取り付けられる温度センサをより信頼性あるものとする。【解決手段】車両の床下に配設された浄化装置１６に取り付けられる温度センサ２０の取付固定部２４にカバー部２４ｃを形成する。カバー部２４ｃは、中空で、サーミスタ２２ａからの端子を絶縁する絶縁部２６と温度センサ２０の内部を密閉するためのカシメ部２８の周りを囲むように形成する。これにより、車両の走行に伴う飛び石等から絶縁部２６やカシメ部２８を保護でき、温度センサ２０をより信頼性のあるものとすることができる。【選択図】図２
2008224375.tif 000002
【特許請求の範囲】
【請求項１】
排気系が車両の床下に配設された内燃機関における該排気系の内部温度の検出に用いられる温度センサであって、
前記温度センサを前記排気系に取り付けた際に該排気系から露出する露出部における所定部位をカバーするカバー部材
を備える温度センサ。
【請求項２】
前記カバー部材は、前記温度センサを前記排気系に取り付け固定するための取付部材と一体的に形成されてなる請求項１記載の温度センサ。
【請求項３】
請求項１または２記載の温度センサであって、
前記温度センサは、該温度センサの内部を密閉するためのカシメ部が形成され、
前記所定部位は、前記カシメ部である
温度センサ。
【請求項４】
請求項１ないし３いずれか記載の温度センサであって、
前記温度センサは、該温度センサの出力端子部を絶縁する絶縁部を有し、
前記所定部位は、前記絶縁部である
温度センサ。
【発明の詳細な説明】
【技術分野】
【０００１】
本発明は、排気系が車両の床下に配設された内燃機関における該排気系の内部温度の検出に用いられる温度センサに関する。
【背景技術】
【０００２】
従来、この種の温度センサとしては、自動車の触媒コンバータの内部や排気管内の排気の温度検出に用いられるものが提案されている（例えば、特許文献１参照）。この温度センサでは、触媒コンバータの内部や排気管内の温度変化や振動が大きいことから、これに対して十分な耐久性を有し、信頼性を高いものにしようとしている。
【特許文献１】特開２００２−３５０２３７号公報
【発明の開示】
【発明が解決しようとする課題】
【０００３】
しかしながら、排気管や触媒コンバータを床下に配置する自動車では、温度センサが温度変化や振動に対して十分な耐性を有するものとしても走行に伴う飛び石や路面上の水の跳ね返りなどの要因によってセンサに破損や腐食などの不具合が生じる場合があり、これに対する適切な対策が望まれる。
【０００４】
本発明の温度センサは、排気系が車両の床下に配置された内燃機関における排気系の内部の温度検出に用いられる温度センサの信頼性をより向上させることを目的とする。
【課題を解決するための手段】
【０００５】
本発明の温度センサは、上述の目的を達成するために以下の手段を採った。
【０００６】
本発明の温度センサは、
排気系が車両の床下に配設された内燃機関における該排気系の内部温度の検出に用いられる温度センサであって、
前記温度センサを前記排気系に取り付けた際に該排気系から露出する露出部における所定部位をカバーするカバー部材
を備えることを要旨とする。
【０００７】
この本発明の温度センサでは、温度センサを車両の床下に配置された排気系に取り付けた際に排気系から露出する露出部における所定部位をカバーするカバー部を備えるから、飛び石や路面上の水の跳ね返りなどから温度センサを保護することができ、その信頼性をより向上させることができる。ここで、「排気系」には、排気管や排気管に取り付けられた触媒を有する浄化装置などが含まれる。
【０００８】
こうした本発明の温度センサにおいて、前記カバー部材は、前記温度センサを前記排気系に取り付け固定するための取付部材と一体的に形成されてなるものとすることもできる。こうすれば、より簡易な構成でカバー部材を形成することができる。
【０００９】
また、本発明の温度センサにおいて、前記温度センサは、該温度センサの内部を密閉するためのカシメ部が形成され、前記所定部位は、前記カシメ部であるものとすることもできる。こうすれば、飛び石や路面上の水の跳ね返り等からカシメ部を保護することができるから、カシメ部から浸水してセンサに腐食などの不具合が発生するのを抑制することができる。
【００１０】
さらに、本発明の温度センサにおいて、前記温度センサは、該温度センサの出力端子部を絶縁する絶縁部を有し、前記所定部位は、前記絶縁部であるものとすることもできる。こうすれば、飛び石や路面上の水の跳ね返り等から絶縁部を保護することができるから、絶縁部の破損などの不具合が発生するのを抑制することができる。
【発明を実施するための最良の形態】
【００１１】
次に、本発明を実施するための最良の形態を実施例を用いて説明する。
【実施例】
【００１２】
図１は、本発明の一実施例としての温度センサ２０が浄化装置１６に取り付けられたエンジン１２を備える車両１０の構成の概略を示す構成図であり、図２は、実施例の温度センサ２０の構成の概略を示す構成図である。実施例の車両１０は、図１に示すように、炭化水素系の燃料を用いて動力を出力する内燃機関としてのエンジン１２を備えており、エンジン１２からの排気は床下に配設された排気管１４に取り付けられた浄化装置（触媒）１６を介して外気へ排出される。
【００１３】
実施例の温度センサ２０は、図２に示すように、車両１０の床下に配設された浄化装置１６の内部温度を検出するものとして構成されており、先端にサーミスタ２２ａが封止された感熱部２２と、感熱部２２を浄化装置１６の内部に挿入した状態で浄化装置１６に取り付け固定される取付固定部２４とを備える。また、温度センサ２０は、その後方（図２中の右寄りの部位）にはサーミスタ２２ａからの端子２２ｂを碍子によって本体から絶縁する絶縁部２６が設けられており、温度センサ２０の後端部（図２中の右端）には温度センサ２０の内部を密閉するためにカシメされたカシメ部２８が形成されている。なお、こうした温度センサ２０は、その検出結果がエンジン１２の運転制御やエンジン１２に関する所定の異常検出に用いられる。
【００１４】
図３に取付固定部２４の外観を示す外観図を示す。取付固定部２４は、図２および図３に示すように、温度センサ２０を螺合により浄化装置１６に取り付けるためのネジ部２４ａと、温度センサ２０が取り付けられたときに浄化装置１６に当接してシールするテーパー部２４ｂと、中空で六角形の外形を有しネジ頭として機能すると共に後端部（図２中の右端部）が絶縁部２６およびカシメ部２８の周りを囲む位置にまで延伸されて絶縁部２６とカシメ部２８とを保護するカバー部２４ｃとにより形成されている。
【００１５】
いま、温度センサが取り付けられた浄化装置１６が床下に配設された車両１０が走行しているときを考える。このとき、温度センサは車両１０の走行による飛び石や路面の水の跳ね返りを受ける。図４に従来例の温度センサ２０Ｂの構成の概略を示す構成図を示す。図示するように、従来例の温度センサ２０Ｂでは、飛び石等により絶縁部２６やカシメ部２８が直接ダメージを受ける場合が生じ、この場合、絶縁不良を起こしたり路面上の水の跳ね返り等によりダメージを受けたカシメ部２８から浸水し内部が腐食したりする場合がある。実施例の温度センサ２０では、絶縁部２６やカシメ部２８の周りを囲むようにカバー部２４ｃを形成しているから、飛び石等によって絶縁部２６やカシメ部２８がダメージを受けるのを抑制することができる。したがって、飛び石や路面上の水の跳ね返り等に起因して温度センサ２０が破損したり腐食したりする等の不具合が生じることはない。
【００１６】
以上説明した実施例の温度センサ２０によれば、絶縁部２６とカシメ部２８の周りを囲むカバー部２４ｃを備えるから、温度センサ２０を車両１０の床下に配設された浄化装置１６に取り付けて使用するものとしても車両１０の走行に伴う飛び石による破損や路面の水の跳ね返り等の浸水による腐食などの不具合の発生を防止することができる。この結果、温度センサ２０をより信頼性のあるものとすることができる。
【００１７】
実施例の温度センサ２０では、取付固定部２４とカバー部２４ｃとを一体形成するものとしたが、必ずしも一体形成する必要はなく、別々に形成するものとしてもよい。例えば、絶縁部２６やカシメ部２８の周りを囲む円筒状のカバー部材を取付固定部２４とは別に溶接等により取り付けるものとしても構わない。
【００１８】
実施例の温度センサ２０では、車両１０の床下に配置された浄化装置１６に取り付けて使用するものとしたが、床下付近の排気管１４に取り付けて使用するものとしてもよい。
【００１９】
実施例の温度センサ２０では、絶縁部２６とカシメ部２８の全体を覆うようカバー部２４ｃを形成するものとしたが、一部だけを覆うように形成するものとしてもよい。
【００２０】
ここで、実施例の主要な要素と課題を解決するための手段の欄に記載した発明の主要な要素との対応関係について説明する。実施例では、エンジン１２が「内燃機関」に相当し、排気管１４や浄化装置１６が「排気系」相当し、絶縁部２６やカシメ部２８が「所定部位」に相当し、カバー部２４ｃが「カバー部材」に相当する。なお、実施例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２１】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２２】
本発明は、自動車産業に利用可能である。
【図面の簡単な説明】
【００２３】
【図１】本発明の一実施例としての温度センサ２０が浄化装置１６に取り付けられたエンジン１２を備える車両１０の構成の概略を示す構成図である。
【図２】実施例の温度センサ２０の構成の概略を示す構成図である。
【図３】取付固定部２４の構成の概略を示す外観図である。
【図４】従来例の温度センサ２０Ｂの構成の概略を示す構成図である。
【符号の説明】
【００２４】
１０  車両、１２  エンジン、１４  排気管、１６  浄化装置、２０，２０Ｂ  温度センサ、２２  感熱部、２２ａ  サーミスタ、２２ｂ  端子、２４  取付固定部、２４  取付固定部、２４ａ  ネジ部、２４ｂ  テーパー部、２４ｃ  カバー部、２６  絶縁部、２８  カシメ部。
【図１】
2008224375.tif 000003
【図２】
2008224375.tif 000004
【図３】
2008224375.tif 000005
【図４】
2008224375.tif 000006